(57)【要約】【課題】  縦フレームを壁面に対して固定し、取付安定性を向上させることのできる縦フレーム固定部材を提供すること。【解決手段】  上水平板２と下水平板３を備え、これら上水平板および下水平板に対し垂直に配置され、両者を連結する胴部４を有し、胴部は、上水平板と下水平板の対向端部側に壁面への当接部５と、この当接部に隣接して配置された、縦フレームの固定に用いられる固定片の嵌合溝６と、この嵌合溝に隣接し、固定片の挿入を可能にした挿入間隙８を形成する上下一対の圧接片７とを備え、かつ胴部は、当接部と反対側の上水平板と下水平板の対向端縁部に、縦フレームが当接する当接片９を上下に一対備えている。【選択図】図１
2006198282.tif 000002
【特許請求の範囲】
【請求項１】
上水平板と下水平板を備え、これら上水平板および下水平板に対し垂直に配置され、両者を連結する胴部を有し、胴部は、上水平板と下水平板の対向端部側に壁面への当接部と、この当接部に隣接して配置された、縦フレームの固定に用いられる固定片の嵌合溝と、この嵌合溝に隣接し、前記固定片の挿入を可能にした挿入間隙を形成する上下一対の圧接片とを備え、かつ胴部は、前記当接部と反対側の上水平板と下水平板の対向端縁部に、縦フレームが当接する当接片を上下に一対備えていることを特徴とする縦フレーム固定部材。
【請求項２】
胴部の当接部と反対側に位置する端縁において上水平板から水平に天板取付片が延設されている請求項１記載の縦フレーム固定部材。
【請求項３】
縦フレームの取付ピッチに対応して天板取付片が切り欠かれている請求項２記載の縦フレーム固定部材。
【請求項４】
胴部において、当接片に隣接する位置に、カバー取付溝が形成されている請求項１ないし３いずれか１項に記載の縦フレーム固定部材。
【請求項５】
下水平板から化粧板取付片が垂下延設されている請求項１ないし４いずれか１項に記載の縦フレーム固定部材。
【発明の詳細な説明】
【技術分野】
【０００１】
本願発明は、縦材と横材とにより矩形枠状に組み立てられた縦フレームが、複数対向して配設される収納体において、縦フレームを壁面に対して固定するための縦フレーム固定部材に関するものである。
【背景技術】
【０００２】
縦材と横材とが組み合わされ、矩形枠状に組み上げられた縦フレームが、複数対向して配設される収納体が知られている（たとえば、特許文献１参照）。この収納体では、縦フレームは、縦フレームを形成する横材とは別の横材により相互が連結されるようになっている。
【特許文献１】特開平７−２０７９１７号公報
【発明の開示】
【発明が解決しようとする課題】
【０００３】
上記のとおり、複数の縦フレームは横材により連結されるが、壁面に対して固定されることはないので、取付安定性に欠けるきらいがあった。
【０００４】
本願発明は、このような事情に鑑みてなされたものであり、縦フレームを壁面に対して固定し、取付安定性を向上させることのできる縦フレーム固定部材を提供することを課題としている。
【課題を解決するための手段】
【０００５】
本願発明は、上記の課題を解決するために、第１には、上水平板と下水平板を備え、これら上水平板および下水平板に対し垂直に配置され、両者を連結する胴部を有し、胴部は、上水平板と下水平板の対向端部側に壁面への当接部と、この当接部に隣接して配置された、縦フレームの固定に用いられる固定片の嵌合溝と、この嵌合溝に隣接し、前記固定片の挿入を可能にした挿入間隙を形成する上下一対の圧接片とを備え、かつ胴部は、前記当接部と反対側の上水平板と下水平板の対向端縁部に、縦フレームが当接する当接片を上下に一対備えていることを特徴としている。
【０００６】
本願発明は、第２には、胴部の当接部と反対側に位置する端縁において上水平板から水平に天板取付片が延設されていることを特徴としている。
【０００７】
本願発明は、第３には、縦フレームの取付ピッチに対応して天板取付片が切り欠かれていることを特徴としている。
【０００８】
本願発明は、第４には、胴部において、当接片に隣接する位置に、カバー取付溝が形成されていることを特徴としている。
【０００９】
本願発明は、第５には、下水平板から化粧板取付片が垂下延設されていることを特徴としている。
【発明の効果】
【００１０】
本願の第１の発明によれば、縦フレームを壁面に対して固定することができ、取付安定性を向上させることができる。
【００１１】
本願の第２の発明によれば、第１の発明の効果に加え、天板の取付けが容易となり、収納体上端部を容易に密閉することが可能となる。
【００１２】
本願の第３の発明によれば、第２の発明の効果に加え、縦フレームの取付位置の位置だしが容易となる。
【００１３】
本願の第４の発明によれば、第１ないし第３いずれか１つの発明の効果に加え、カバーを装着することにより外観が美麗に仕上がる。
【００１４】
本願の第５の発明によれば、第１ないし第４いずれか１つの発明の効果に加え、収納体の背板としての化粧板の取付けが容易となる。
【発明を実施するための最良の形態】
【００１５】
図１は、本願発明の縦フレーム固定部材の一実施形態を示した要部斜視図である。
【００１６】
縦フレーム固定部材１は横長の部材である。上下には、上水平板２、下水平板３をそれぞれ備えている。上水平板２と下水平板３は、胴部４によって連結されている。胴部４は、上水平板２と下水平板３を垂直に繋いでいる。
【００１７】
胴部４には、上水平板２と下水平板３の対向端部側に、断面コ字型の形状を有する当接部５が設けられている。この当接部５は、後述するように、壁面に当接する部位であり、ビス止めが可能となっている。
【００１８】
また、胴部４には、当接部５に隣接して、縦フレームを固定する固定片が嵌合する嵌合溝６が形成されている。
【００１９】
さらに、胴部４には、嵌合溝６に隣接して上下一対として圧接片７が設けられている。圧接片７の間には、縦フレームを固定する固定片が嵌合溝６に入り込むことができるように、固定片の挿入を可能にした挿入間隙８が形成されている。
【００２０】
そして、胴部４には、当接部５と反対側の上水平板２と下水平板３の対向端縁部に、縦フレームの当接を可能にした当接片９が上下一対として設けられている。
【００２１】
このような縦フレーム固定部材１は、図２に示したように、壁面１０に固定される。すなわち、胴部４に備えた当接部５が壁面１０に当接した状態においてビス止めされる。当接部５は、断面がコ字型の形状を有しているため、固定に使用されるビスの頭部は当接部５内に納まり、当接部５に隣接する嵌合溝６に突出することはない。なお、当接部５が壁面１０に当接する際には、図２に示したように、上水平板２および下水平板３の当接部５側の一端縁もまた壁面１０に当接する。
【００２２】
縦フレーム１１は、このようにして壁面１０に取り付けられた縦フレーム固定部材１に取り付けられる。縦フレーム１１は、図２に示したように、前後一対として対向配置された縦材１１ａに横材１１ｂが架設されて矩形枠状に組み立てられた部材である。縦フレーム固定部材１への取付けに当たっては、縦フレーム１１において後側に位置する縦材１１ａが、縦フレーム固定部材１の胴部４に設けられた当接片９に当接する。
【００２３】
縦フレーム１１の取付けには、図３に示したように、固定治具１２とこの固定治具１２に挟持ビス１３により連結された固定片１４が用いられる。
【００２４】
固定治具１２は、図４に示したように、たとえば平板状のものとすることができ、縦フレーム１１の後側に位置する縦材１１ａの背側にスペーサー１５を介してビス止めされる。スペーサー１５を用いない場合には、固定治具１２は、たとえば断面クランク形状の部材とすることができ、この場合、固定治具１２において突出する側の部位が縦材１１ａの背側に固定される。
【００２５】
固定片１４は、ひし形の形状を有し、図１および図３に示した縦フレーム固定部材１の胴部４に設けられた挿入間隙８を通じて嵌合溝６に入り込める形状を有している。固定片１４の形状は、ひし形の他に楕円形とすることも可能である。
【００２６】
縦フレーム１１を縦フレーム固定部材１に取り付ける際には、固定片１４を挿入間隙８を通じて嵌合溝６にまで挿入し、この後、挟持ビス１３を締める。このとき、挟持ビス１３によって連結されていた固定片１４は、嵌合溝６内で回動し、嵌合溝６に嵌合する。この状態において、挟持ビス１３をさらに締めると、固定片１４は、嵌合溝６に嵌合しているため、回動はできず、固定治具１２に引き寄せられるようになる。その結果、固定片１４は固定治具１２とともに、縦フレーム固定部材１の胴部４に設けられた圧接片７に圧接し、圧接片７を挟持する。このような固定片１４と固定治具１２とによる圧接片７の挟持によって、縦フレーム１１は、縦フレーム固定部材１に固定され、壁面１０に対して固定される。縦フレーム１１は、縦フレーム固定部材１を介して壁面１０に対して固定されるため、取付安定性が向上する。
【００２７】
図１に示した縦フレーム固定部材１では、胴部４に設けられた当接部５と反対側に位置する端縁において、天板取付片１６が上水平板２から水平に延設されている。天板取付片１６は、図２に示したように、天板１７を取り付けるための部位であり、下方からのビス止めによって天板１７を固定することができる。天板取付片１６により、天板１７の取付けが容易となり、収納体上端部の密閉を容易に行うことが可能となる。
【００２８】
一方、天板取付片１６は、縦フレーム１１の縦フレーム固定部材１への取付けには邪魔となるので、切り欠いておくことができる。図５に示したように、切欠１８は、縦フレーム固定部材１にあらかじめ設けておくことができ、この場合、縦フレーム１１の取付ピッチに対応させて設けると、縦フレーム１１の取付位置の位置だしが容易となる。
【００２９】
また、図１に示した縦フレーム固定部材１では、胴部４において当接片９に隣接する位置に、カバー取付溝１９が形成されている。このカバー取付溝１９に横長のカバーを挿入して取り付けることにより、図３から理解されるように、固定治具１２および挟持ビス１３を覆い隠すことができ、見栄えの良い外観が実現される。
【００３０】
さらに、図１に示した縦フレーム固定部材１では、下水平板３から化粧板取付片２０が垂下延設されている。収納体に化粧用の背板を取り付ける場合に、図３に示したように、化粧板２１を化粧板取付片２０においてビス止め、嵌込み等により取り付けることができる。化粧板取付片２０の存在により、化粧板２１の取付性が向上する。
【図面の簡単な説明】
【００３１】
【図１】本願発明の縦フレーム固定部材の一実施形態を示した要部斜視図である。
【図２】図１に示した縦フレーム固定部材を用いて縦フレームを壁面に対して固定する状態を示した要部断面図である。
【図３】図１に示した縦フレーム固定部材に縦フレームを取り付ける構造について示した要部断面図である。
【図４】縦フレームの縦フレーム固定部材への取付に用いられる固定治具、固定片および挟持ビスの一形態を示した要部斜視図である。
【図５】切欠を縦フレームの取付ピッチに対応して天板取付片に設けた縦フレーム固定部材の一形態を、縦フレームおよび天板とともに示した斜視図である。
【符号の説明】
【００３２】
１    縦フレーム固定部材
２    上水平板
３    下水平板
４    胴部
５    当接部
６    嵌合溝
７    圧接片
８    挿入間隙
９    当接片
１０    壁面
１１    縦フレーム
１１ａ    縦材
１１ｂ    横材
１２    固定治具
１３    挟持ビス
１４    固定片
１５    スペーサー
１６    天板取付片
１７    天板
１８    切欠
１９    カバー取付溝
２０    化粧板取付片
２１    化粧板
【図１】
2006198282.tif 000003
【図２】
2006198282.tif 000004
【図３】
2006198282.tif 000005
【図４】
2006198282.tif 000006
【図５】
2006198282.tif 000007